(57)【要約】【課題】こたつ内の保温性を高めることができるこたつ布団を提供することを目的とする。【解決手段】  方形状に形成され、こたつの天板を載置する天板載置部２と、天板載置部２の４方に設けた方形状の裾部３と、隣接する裾部３、３間に折り畳み可能に設けたコーナー部４を有し、コーナー部は、このコーナー部４と裾部３の境の長さを半径とする１／４円よりも大きな表面積を有し、コーナー部４にコーナー側係止具６，７を設け、裾部３に裾側係止具９，１０を設け、コーナー側係止具６，７と裾側係止具９，１０を分離可能に係合することにより、コーナー部４を折り畳んだ状態で保持し、隣接するコーナー部４に夫々設けたコーナー側係止具９，１０同士を相互に分離可能に係合することができるようにした。【選択図】  図２
0003205006.tif 000002
【実用新案登録請求の範囲】
【請求項１】
方形状に形成され、こたつの天板を載置する天板載置部と、該天板載置部の４方に設けた方形状の裾部と、隣接する裾部間に折り畳み可能に設けたコーナー部を有し、
前記コーナー部は、このコーナー部と前記裾部の境の長さを半径とする１／４円よりも大きな表面積を有し、
前記コーナー部にコーナー側係止具を設け、前記裾部に裾側係止具を設け、コーナー側係止具と裾側係止具を分離可能に係合することにより、前記コーナー部を折り畳んだ状態で保持し、
隣接するコーナー部に夫々設けたコーナー側係止具同士を相互に分離可能に係合することができるようにしたことを特徴とするこたつ布団。
【請求項２】
前記こたつ布団を、椅子を用いて使用するこたつに用いることを特徴とする請求項１記載のこたつ布団。
【考案の詳細な説明】
【技術分野】
【０００１】
本考案は、こたつ布団に関するものである。
【背景技術】
【０００２】
従来、所定の長さの脚を有する椅子に着座して使用するこたつが知られている。
【考案の概要】
【考案が解決しようとする課題】
【０００３】
しかし、使用者が椅子に座ってこたつに入ると、こたつ布団が、使用者の膝により持ち上げられ、椅子の座の下部に空間ができ、この座の下の空間により、こたつ内で保温された空気が外部へ逃げてしまうとともに、この空間からこたつ内に冷気が入りこむため、保温等の点で問題があった。
【０００４】
そこで、本考案は、上記問題を解決したこたつ布団を提供することを目的とするものである。
【課題を解決するための手段】
【０００５】
前記の課題を解決するために、請求項１記載の考案は、方形状に形成され、こたつの天板を載置する天板載置部と、該天板載置部の４方に設けた方形状の裾部と、隣接する裾部間に折り畳み可能に設けたコーナー部を有し、
前記コーナー部は、このコーナー部と前記裾部の境の長さを半径とする１／４円よりも大きな表面積を有し、
前記コーナー部にコーナー側係止具を設け、前記裾部に裾側係止具を設け、コーナー側係止具と裾側係止具を分離可能に係合することにより、前記コーナー部を折り畳んだ状態で保持し、
隣接するコーナー部に夫々設けたコーナー側係止具同士を相互に分離可能に係合することができるようにしたことを特徴とするものである。
【０００６】
請求項２記載の考案は、請求項１記載の考案において、前記こたつ布団を、椅子を用いて使用するこたつに用いることを特徴とするものである。
【考案の効果】
【０００７】
本考案によれば、隣接する裾部間に折り畳み可能に設けたコーナー部を有し、コーナー部は、このコーナー部と裾部の境の長さを半径とする１／４円よりも大きく形成され、コーナー部にコーナー側係止具を設け、裾部に裾側係止具を設け、コーナー側係止具と裾側係止具を分離可能に係合することにより、コーナー部を折り畳んだ状態で保持し、隣接するコーナー部に夫々設けたコーナー側係止具同士を相互に分離可能に係合することができるようにしたことにより、コーナ部同士を椅子の座の下部や使用者の背面において係合させることにより、使用者がこたつに入った使用時において、こたつの内外を連通する空間を、上記従来のこたつ布団よりも減少させ、保温性を高めることができる。
【図面の簡単な説明】
【０００８】
【図１】本考案に係るこたつ布団において、コーナ部を折り畳んだ状態の上面図。
【図２】図１の下面図。
【図３】図１におけるコーナ部の要部拡大図。
【図４】図２の状態からコーナ部を広げた状態を示す下面図。
【図５】こたつに用いた状態の斜視図。
【図６】図５の使用状態を示す図。
【図７】図６の側面図
【考案を実施するための形態】
【０００９】
本考案を実施するための形態を図に基づいて説明する。
【００１０】
図１は本考案のこたつ布団１の上面図、図２はこたつ布団１の下面図である。こたつ布団１は、図１に示すように、上面視において正方形又は長方形からなる方形状に形成されるとともに、こたつ１９の天板２０を載置できる天板載置部２を有する。この天板載置部２における周方向の４辺には、夫々方形状の裾部３が、夫々の１辺にて縫設されている。裾部３の横方向の長さＬ２は、裾部３が縫設されている天板載置部２の横方向の長さＬ１とほぼ同じに設定されている。
【００１１】
周方向において隣接する裾部３と３の相互の間には、コーナー部４が折り畳み可能に設けられ、コーナー部４の周方向の端部４ａは、裾部３の両側の端部３ａに縫設されている。コーナー部４は、図４に示すように、裾部３とコーナー部４の境における長さＬ３（図１参照）を半径とする１／４円の面積より大きな表面積を有するように形成されている。本実施例においては、コーナー部４を、上記長さＬ３を半径とする半円状に形成した。
【００１２】
天板載置部２、裾部３、コーナー部４は、夫々、任意の生地で構成した内布と外布の内部に綿等の充填材を充填して構成されている。
【００１３】
図２，図３に示すように、各コーナー部４の周方向の両側部における一方には第１コーナ側係止具６が、他方の側部には第２コーナー側係止具７が設けられている。また、裾部３の周方向の側部の他方には第１裾側係止具９が、一方の側部には第２裾側係止具１０が設けられている。
【００１４】
第１コーナ側係止具６は、第２裾側係止具１０又は第２コーナー側係止具７と分離可能に係合することができるようになっている。また、第２コーナ側係止具７は、第１裾側係止具９又は第１コーナー側係止具６と分離可能に係合することができるようになっている。係止具６、７、９、１０は、釦、ホック、面ファスナー、磁石等任意の係止部材を用いることができ、例えば、第１係止具６、９に雄の係止部材を、第２係止具７、１０として、第１係止具６、９に対応する雌側の係止部材を用いることができる。本実施例では、係止具６、７、９、１０として、ホックを用いた。
【００１５】
これにより、図２に示すように、隣接するコーナー部４の第１コーナ側係止具６と、裾部３の第２裾側係止具１０を係合させ、隣接するコーナー部４の第２コーナ側係止具７と、裾部３の第１裾側係止具９を係合させると、図１〜図３に示すように、コーナー部４を折り畳んだ状態で保持させることができる。
【００１６】
また、第１コーナ側係止具６と第２裾側係止具１０との係合、第２コーナ側係止具７と第１裾側係止具９との係合を夫々解除すると、図４に示すように、コーナー部４を広げることができるようになっている。
【００１７】
次に、本考案のこたつ布団１の使用方法について説明する。
【００１８】
図３，図５，図６に示すように、第１コーナ側係止具６と第２裾側係止具１０を係合させ、第２コーナ側係止具７と第１裾側係止具９を係合させてコーナー部４を折り畳んだ状態で、椅子１５を用いて使用する長い脚を有するこたつ１９における本体部の上部に天板載置部２が、こたつ１９の各面に裾部４が位置するようにして、こたつ１９の本体部に取付け、天板載置部２の上に天板２０を載置して、こたつ布団１をこたつ１９に取付ける。
【００１９】
そして、図６、図７に示すように、使用者１６が、椅子１５に座って、こたつ１９に使用者１６の脚を入れる際には、使用者が入る部分の裾部３に設けられた裾側係止具９、１０と、コーナー部４のコーナ側係止具６、７の係合状態を解除してコーナー部４を広げる。そして、図７に示すように、使用者の脚の上部に裾部３が位置し、図６，図７に示すようにして、使用者１６の脚の後部において、使用者１６の両側部に位置する一方の裾部３の第１コーナ側係止具６と、他方の裾部３の第２コーナ側係止具７とを相互に係合させる。
【００２０】
これにより、図６，図７に示すように、使用者１６の両側部に位置するコーナー部４、４により、椅子１５の座１５ａ下部の空間が塞がれ、こたつ１９内で暖められた空気が外部に漏出するとともに、外部からこたつ１９内に冷気が流入することを抑制することができ、上記従来技術のこたつ布団と比較して、保温性を格段に高めることができる。
【００２１】
なお、本考案のこたつ布団１は、椅子を用いずに使用するこたつに用いた場合にも、使用者の背部において、コーナー部４、４を相互に係合させることができるために、コーナー部４により、使用者の腰部周辺を覆うとともに、使用者により形成される隙間を減少させて、こたつの保温性を高めることができる。
【符号の説明】
【００２２】
１  こたつ布団
２  天板載置部
３  裾部
４  コーナー部
６，７  コーナー側係止具
１０，１１  裾側係止具
１５  椅子  
１９  こたつ
２０  こたつの天板
【図１】
0003205006.tif 000003
【図２】
0003205006.tif 000004
【図３】
0003205006.tif 000005
【図４】
0003205006.tif 000006
【図５】
0003205006.tif 000007
【図６】
0003205006.tif 000008
【図７】
0003205006.tif 000009